(57)【要約】【課題】  構造の簡略化を図ることができ、かつ製造コストの低減化を図ることができるとともに、室内空間を均一に空調することができる空調用室内ユニットおよび天井設置型空気調和機を提供すること。【解決手段】  下面中央部に開口部が設けられているとともに、内部にファン１１１および熱交換器１１２が収容される本体ケーシング１１４と、この本体ケーシング１１４の下面側に配置され、中央部に前記開口部と連通する吸込口１１８が形成されているとともに、この吸込口１１８の外側に複数個の吹出口１１９が形成された化粧パネル１１６との間に取り付け可能に構成された空調用室内ユニット１１０のスペーサ１１５であって、各角部の側面に、内部に形成された流路を介して前記吹出口１１９と連通するコーナ部吹出口１１５ａが設けられていることを特徴とする。【選択図】  図１
2006118796.tif 000002
【特許請求の範囲】
【請求項１】
下面中央部に開口部が設けられているとともに、内部にファンおよび熱交換器が収容される本体ケーシングと、この本体ケーシングの下面側に配置され、中央部に前記開口部と連通する吸込口が形成されているとともに、この吸込口の外側に複数個の吹出口が形成された化粧パネルとの間に取り付け可能に構成された空調用室内ユニットのスペーサであって、
各角部の側面に、内部に形成された流路を介して前記吹出口と連通するコーナ部吹出口が設けられていることを特徴とする空調用室内ユニットのスペーサ。
【請求項２】
前記流路の入口側に、前記熱交換器から前記吹出口に向かって流れる空気の一部を前記流路内に導く導入ガイドが設けられていることを特徴とする請求項１に記載の空調用室内ユニットのスペーサ。
【請求項３】
前記導入ガイドの表面が、湾曲面とされていることを特徴とする請求項２に記載の空調用室内ユニットのスペーサ。
【請求項４】
前記コーナ部吹出口近傍の流路が、下方に向かって傾斜させられていることを特徴とする請求項１ないし３のいずれか一項に記載の空調用室内ユニットのスペーサ。
【請求項５】
請求項１から４のいずれか一項に記載の空調用室内ユニットのスペーサと、
前記空調用室内ユニットのスペーサの上面側に配置される前記本体ケーシングと、
前記空調用室内ユニットのスペーサの下面側に配置される前記化粧パネルと、を具備してなることを特徴とする空調用室内ユニット。
【請求項６】
請求項５に記載の空調用室内ユニットと、
冷媒を圧縮するための圧縮機、および冷媒と室外の空気との熱交換を行わせるための室外熱交換器を有する空調用室外ユニットと、
前記空調用室内ユニットおよび前記空調用室外ユニットを連結するとともに、冷媒をこれら空調用室内ユニットおよび空調用室外ユニットの間で循環させるための冷媒配管と、を具備してなることを特徴とする天井設置型空気調和機。
【発明の詳細な説明】
【技術分野】
【０００１】
本発明は、空調用室内ユニットおよび天井設置型空気調和機に関するものである。
【背景技術】
【０００２】
本体ケーシングが天井に設置される空調用室内ユニットとしては、中央部に吸込口を有するとともに、この吸込口の周辺部の四辺に吹出口をそれぞれ有する化粧パネルが本体ケーシングの下面側に配置されたものが知られている（例えば、特許文献１参照）。
また、熱交換器により熱交換された空気を天井から吹き出させる吹出口装置としては、角部を含んだ八方向に吹き出し可能に構成されたものが知られている（例えば、特許文献２参照）。
【特許文献１】特開２００４−７６９６０号公報
【特許文献２】特開平１１−１３２５４３号公報
【発明の開示】
【発明が解決しようとする課題】
【０００３】
しかしながら、上記特許文献１に開示されている発明では、本体ケーシング内に収容された室内熱交換器で熱交換された空気が、四つの吹出口を通って四方向にしか吹き出されないため、室内空間を均一に空調できないといった問題点があった。
また、上記特許文献２に開示されている発明では、熱交換器により熱交換された空気が、角部を含んだ八方向に吹き出されるようになっており、室内空間が均一に空調されることとなる。しかしながら、この特許文献に開示されている発明のものは、その構造が複雑で、製造コストも嵩んでしまうといった問題点がある。
【０００４】
本発明は、上記の事情に鑑みてなされたもので、構造の簡略化を図ることができ、かつ製造コストの低減化を図ることができるとともに、室内空間を均一に空調することができる空調用室内ユニットおよび天井設置型空気調和機を提供することを目的とするものである。
【課題を解決するための手段】
【０００５】
本発明は、上記課題を解決するため、以下の手段を採用した。
請求項１に記載の空調用室内ユニットのスペーサは、下面中央部に開口部が設けられているとともに、内部にファンおよび熱交換器が収容される本体ケーシングと、この本体ケーシングの下面側に配置され、中央部に前記開口部と連通する吸込口が形成されているとともに、この吸込口の外側に複数個の吹出口が形成された化粧パネルとの間に取り付け可能に構成された空調用室内ユニットのスペーサであって、各角部の側面に、内部に形成された流路を介して前記吹出口と連通するコーナ部吹出口が設けられていることを特徴とする。
このような空調用室内ユニットのスペーサによれば、当該空調用室内ユニットのスペーサが、本体ケーシングと化粧パネルとの間に取り付けられることにより、熱交換器で熱交換された空気が、コーナ部吹出口および吹出口から吹き出されることとなって、角部を含む、例えば八方向への吹き出しが容易に実現可能となる。
また、コーナ部吹出口はそれぞれ、各角部の側面に形成されているので、コーナ部吹出口から吹き出された空気が吸込口から直接取り込まれてしまう、いわゆるショートサーキットが防止され、室内空間がより効率良く空気調和されることとなる。
【０００６】
請求項２に記載の空調用室内ユニットのスペーサは、前記流路の入口側に、前記熱交換器から前記吹出口に向かって流れる空気の一部を前記流路内に導く導入ガイドが設けられていることを特徴とする。
このような空調用室内ユニットのスペーサによれば、熱交換器から吹出口に向かって流れる空気の一部が確実にコーナ部吹出口に導かれることとなり、熱交換された空気がコーナ部吹出口から十分に吹き出すこととなる。
【０００７】
請求項３に記載の空調用室内ユニットのスペーサは、前記導入ガイドの表面が、湾曲面とされていることを特徴とする。
このような空調用室内ユニットのスペーサによれば、導入ガイドの表面に沿って流れる空気の流れが円滑化され、流路抵抗が減少するとともに圧損が減少し、ファンの消費動力が低減して、装置の省エネルギー化が図られることとなる。
【０００８】
請求項４に記載の空調用室内ユニットのスペーサは、前記コーナ部吹出口近傍の流路が、下方に向かって傾斜させられていることを特徴とする。
このような空調用室内ユニットのスペーサによれば、コーナ部吹出口から吹き出される空気は、天井の室内側面から遠ざかるように吹き出されるので、天井の室内側面の汚れが防止されることとなる。
【０００９】
請求項５に記載の空調用室内ユニットは、請求項１から４のいずれか一項に記載の空調用室内ユニットのスペーサと、前記空調用室内ユニットのスペーサの上面側に配置される前記本体ケーシングと、前記空調用室内ユニットのスペーサの下面側に配置される前記化粧パネルと、を具備してなることを特徴とする。
このような空調用室内ユニットによれば、熱交換器で熱交換された空気が、コーナ部吹出口および吹出口から吹き出されることとなって、角部を含む、例えば八方向への吹き出しが行われることとなる。
また、コーナ部吹出口はそれぞれ、各角部の側面に形成されているので、コーナ部吹出口から吹き出された空気が吸込口から直接取り込まれてしまう、いわゆるショートサーキットが防止され、室内空間がより効率良く空気調和されることとなる。
【００１０】
請求項６に記載の天井設置型空気調和機は、請求項５に記載の空調用室内ユニットと、冷媒を圧縮するための圧縮機、および冷媒と室外の空気との熱交換を行わせるための室外熱交換器を有する空調用室外ユニットと、前記空調用室内ユニットおよび前記空調用室外ユニットを連結するとともに、冷媒をこれら空調用室内ユニットおよび空調用室外ユニットの間で循環させるための冷媒配管と、を具備してなることを特徴とする。
このような天井設置型空気調和機によれば、熱交換器で熱交換された空気が、コーナ部吹出口および吹出口から吹き出されることとなって、角部を含む、例えば八方向への吹き出しが行われることとなり、室内空間がより均一（均等）に空気調和されることとなる。
【発明の効果】
【００１１】
本発明の空気調和装置によれば、構造の簡略化を図ることができ、かつ製造コストの低減化を図ることができるとともに、室内空間を均一に空調することができるという効果を奏する。
【発明を実施するための最良の形態】
【００１２】
以下、図面を用いて本発明の実施の形態について説明する。
図１は、本発明による空調用室内ユニットを備える天井設置型空気調和機の全体構成を示す概略構成図である。
図１に示すように、天井設置型空気調和機１００は、空調用室内ユニット１１０と、空調用室外ユニット１２０と、冷媒配管１３０とを主たる要素として構成されたものである。
空調用室外ユニット１２０は、冷媒を圧縮するための圧縮機１２１、冷媒と室外の空気との熱交換を行わせるための室外熱交換器１２２、および室外ファン１２３を有するものである。
また、冷媒配管１３０は、空調用室内ユニット１１０および空調用室外ユニット１２０を連結するとともに、冷媒をこれら空調用室内ユニット１１０および空調用室外ユニット１２０の間で循環させるためのものである。
【００１３】
空調用室内ユニット１１０は、ターボファン１１１、室内熱交換器（熱交換器）１１２、およびベルマウス１１３を内蔵した本体ケーシング１１４と、この本体ケーシング１１４の下面側に配置されるスペーサ１１５と、このスペーサ１１５の下面側に着脱自在に取り付けられる化粧パネル１１６と、この化粧パネル１１６の下面側に着脱自在に取り付けられる吸込パネル１１７とを主たる要素として構成されたものである。
また、化粧パネル１１６の下面には、その中央部に吸込口１１８が形成されており、この吸込口１１８の外側に複数個、たとえば四つの吹出口１１９が設けられている。
なお、図中の符号１１２ａは冷媒配管である。
【００１４】
ターボファン１１１は、本体ケーシング１１４の中央部に配置されているとともに、鉛直線まわりに回転するものであり、吸込口１１８から空気を取り入れるとともに、吹出口１１９および後述するコーナ部吹出口１１５ａから室内に熱交換された空気を吹き出させるためのものである。
室外熱交換器１１２は、ターボファン１１１の吹出側の周囲に配設されたものであり、吸込口１１８から取り入れられた空気を冷却または加熱するためのものである。
また、ベルマウス１１３は、吸込口１１８からターボファン１１１に流れ込む空気の流れを円滑にするためのものであり、ラッパ状の形態を有するものである。
【００１５】
吸込パネル１１７は、平面視における輪郭が正方形とされた吸込グリル１１７ａを中央部に有するものであるとともに、前述した吸込口１１８を覆うカバー部材である。
したがって、室内の空気は吸込グリル１１７ａ→吸込口１１８→ベルマウス１１３→ターボファン１１１→室内熱交換器１１２→吹出口１１９・コーナ部吹出口１１５ａを順に通過して室内に戻されるようになっている。
【００１６】
図２は図１のII-II矢視断面図であり、図３は図１のIII-III矢視断面図である。そして、これら図中の符号１０，２０はそれぞれ、空調用室内ユニット１１０の本体ケーシング１１４を天井面内に固定する支持部材（あるいは懸架部材）、天井の室内側面を示している。
また、図４はスペーサ１１５の平面図（図２および図３において天井面の内側からスペーサ１１５を平面視した図）である。
【００１７】
図１、図３、および図４に示すように、スペーサ１１５の四隅側面、すなわち、角部（コーナ部）側面にはそれぞれ、コーナ部吹出口１１５ａが設けられている。また、スペーサ１１５の中央部には、前述した吸込口１１８と連通するスペーサ側吸込口１１８ａが形成されているとともに、この吸込口１１８の外側には、前述した吹出口１１９と連通するスペーサ側吹出口１１９ａが設けられている。そして、一コーナ部吹出口１１５ａと、これに隣接する二つのスペーサ側吹出口１１９ａの内部とは、流路Ｒによりそれぞれ連通されている。
流路Ｒはそれぞれ、スペーサ側吹出口１１９ａからコーナ部吹出口１１５ａに向かって水平に延びた後、コーナ部吹出口１１５ａの近傍（流路Ｒの一端部）で下方（天井の室内側面２０と反対の側）に向かって傾斜させられた（図３参照）、平面視略Ｙ字形（図４参照）を呈する風路である。なお、これら流路Ｒの上方には、前述した冷媒配管１１２ａ（および図示しないドレンパイプ）が位置することになる。
【００１８】
図３および図４に示すように、流路Ｒの他端（すなわち、スペーサ側吹出口１１９ａに開口する所）には、それぞれ導入ガイド１１５ｂが設けられている。各導入ガイド１１５ｂは、流路Ｒの他端下側から対向する流路Ｒの他端に向かって斜め上方に延びる板状の部材であり、室内熱交換器１１２を通過して吹出口１１９に向かう空気の一部を流路Ｒ内に導くための案内板である。ここで、流路Ｒに対し、両側から導入ガイド１１５ｂを介して調和空気が流入する構成であるため、吹出口１１５ａからの吹出方向の偏向をより少なくすることができる。図３に示すように、室内熱交換器１１２から吹出口１１９に向かう空気の一部、すなわち、吹出口１１９の両コーナ側を通過する空気は、それぞれ対応する導入ガイド１１５ｂの表面（流路Ｒの他端と対向する側の面）に沿って流れた後、流路Ｒの他端から流路Ｒ内に流入し、流路Ｒを通過した後にコーナ部吹出口１１５ａから室内に向かって吹き出されるようになっており、これにより、八方向への空気の吹き出しが可能となっている。
【００１９】
本実施形態にかかる空調用室内ユニット１１０によれば、本体ケーシング１１４と化粧パネル１１６との間にこのようなスペーサ１１５を介在させるだけで八方向への空気の吹き出しが可能となる。すなわち、従来からある本体ケーシングおよび化粧パネルの大幅な設計変更を伴うことなく、あるいは既存の本体ケーシングと化粧パネルとの間に唯一新しい部品であるスペーサを配置することにより熱交換された空気を八方向に吹き出させることができるので、室内空間を均一に空調することができるとともに、開発設計費の大幅な削減を図ることができて、製造コストの大幅な低減を図ることができる。
【００２０】
また、コーナ部吹出口１１５ａは、スペーサ１１５の角部側面、すなわち、吸込グリル１１７ａから最も離れた場所に設けられているので、コーナ部吹出口１１５ａから吹き出された空気が吸込グリル１１７ａから直接取り込まれてしまう、いわゆるショートサーキットを防止することができて、室内空間をより効率良く空気調和することができる。
【００２１】
さらに、流路Ｒの一端部が、コーナ部吹出口１１５ａに向かって下方に傾斜させられており、コーナ部吹出口１１５ａから下向きに（すなわち、天井の室内側面２０から遠ざかるように）、空気が吹き出されるようになっているので、天井の室内側面２０が汚れてしまうことを防止することができる。
【００２２】
さらにまた、導入ガイド１１５ｂおよび流路Ｒにより、吹出口１１９の側からコーナ部吹出口１１５ａの側に空気が流れるようになっている。すなわち、冷媒配管１１２ａ（および図示しないドレンパイプ）が位置することにより流れが悪くなる部分からの空気の供給を避け、空気が円滑に流れる流路Ｒを通してコーナ部吹出口１１５ａに空気を供給するようにしているので、コーナ部吹出口１１５ａから十分な風量の空気を吹き出させること尾ができる。
【００２３】
なお、本発明は上述した実施形態のものに限定されるものではなく、例えば、導入ガイド１１５ｂの表面（流路Ｒの他端と対向する側の面）が滑らかな湾曲面となるように形成されているとさらに好適である。すなわち、導入ガイド１１５ｂの断面視形状が図３に示すような「く」の字を呈するものではなく、Ｒ（アール）がとられるように形成されているとさらに好適である。
これにより、導入ガイド１１５ｂの表面に沿って流れる空気の流れをより円滑なものとすることができるので、流路抵抗を減少させることができ、圧損を減少させることができて、ターボファン１１１の消費動力を低減させることができ、装置の省エネルギー化を図ることができる。
【図面の簡単な説明】
【００２４】
【図１】本発明による空気調和装置の一実施形態を示す概略構成図である。
【図２】図１に示した空気調和装置おけるII-II矢視断面図である。
【図３】図１に示した空気調和装置におけるIII-III矢視断面図である。
【図４】本発明による空気調和装置の一実施形態にかかるスペーサの平面図である。
【符号の説明】
【００２５】
１００    天井設置型空気調和機
１１０    空調用室内ユニット
１１１    ターボファン（ファン）
１１２    室内熱交換器（熱交換器）
１１４    本体ケーシング
１１５    スペーサ
１１５ａ  コーナ部吹出口
１１５ｂ  導入ガイド
１１６    化粧パネル
１１８    吸込口
１１９    吹出口
１２０    空調用室外ユニット
１２１    圧縮機
１２２    室外熱交換器
１３０    冷媒配管
Ｒ    流路
【図１】
2006118796.tif 000003
【図２】
2006118796.tif 000004
【図３】
2006118796.tif 000005
【図４】
2006118796.tif 000006